(57)【特許請求の範囲】
【請求項１】
マルチディスプレイシステムを構成する表示装置の表示を制御する表示制御装置であって、
上記表示装置の表示領域と、隣接する上記表示領域間に存在する間隙領域とから構成される全体表示領域のうち、上記マルチディスプレイシステムの表示対象となる全体画像の表示サイズと同一のサイズである特定の範囲に、上記全体画像が重なるように、上記表示装置の表示領域に、上記全体画像の部分画像をドットバイドット表示させる表示制御部を備え、
上記表示制御部は、上記表示装置の表示領域における上記特定の範囲外の領域に、第１の背景画像を表示させ、
上記全体画像から切り出された切り出し画像を取得する画像取得部を更に備え、
上記表示制御部は、上記表示装置の表示領域において、上記特定の範囲内であって、かつ、上記画像取得部が取得した画像が表示されない領域に、第２の背景画像を表示させることを特徴とする表示制御装置。
【請求項２】
上記表示制御部は、上記表示装置の表示領域の解像度を示す情報、上記間隙領域のサイズを示す情報、上記特定の範囲を示す情報、および、上記表示装置の配置位置を示す情報を参照して、上記表示装置の表示領域に対する、上記画像取得部が取得した画像の相対表示位置を算出し、当該相対表示位置に応じて、上記表示装置の表示領域に、上記画像取得部が取得した画像を表示させることを特徴とする請求項１に記載の表示制御装置。
【請求項３】
上記表示制御部は、上記第１の背景画像の色または輝度と、上記第２の背景画像の色または輝度とを異ならせることを特徴とする請求項１又は２に記載の表示制御装置。
【請求項４】
上記画像取得部は、上記全体画像を上記表示装置毎に分割した分割画像の外周の少なくとも一部に付加領域が加えられた上記切り出し画像を取得することを特徴とする請求項１〜３の何れか一項に記載の表示制御装置。
【請求項５】
マルチディスプレイシステムを構成する表示装置に個別に接続され、接続された表示装置の表示を制御することを特徴とする請求項１〜４の何れか一項に記載の表示制御装置。
【請求項６】
複数の表示装置を備えたマルチディスプレイシステムであって、
上記表示装置は、上記表示装置の表示領域と、隣接する上記表示領域間に存在する間隙領域とから構成される全体表示領域のうち、上記マルチディスプレイシステムの表示対象となる全体画像の表示サイズと同一のサイズである特定の範囲に、上記全体画像が重なるように、上記表示装置の表示領域に、上記全体画像の部分画像をドットバイドット表示すると共に、上記表示装置の表示領域における上記特定の範囲外の領域に、第１の背景画像を表示し、上記全体画像から切り出された切り出し画像を取得し、上記特定の範囲内であって、かつ、上記取得した画像が表示されない領域に、第２の背景画像を表示することを特徴とするマルチディスプレイシステム。
【請求項７】
複数の表示装置を備えたマルチディスプレイシステムの表示方法であって、
上記表示装置の表示領域と、隣接する上記表示領域間に存在する間隙領域とから構成される全体表示領域のうち、上記マルチディスプレイシステムの表示対象となる全体画像の表示サイズと同一のサイズである特定の範囲に、上記全体画像が重なるように、上記表示装置の表示領域に、上記全体画像の部分画像をドットバイドット表示する工程と、
上記表示装置の表示領域における上記特定の範囲外の領域に、第１の背景画像を表示する工程と、
上記全体画像から切り出された切り出し画像を取得する工程と、
上記表示装置の表示領域において、上記特定の範囲内であって、かつ、上記取得した画像が表示されない領域に、第２の背景画像を表示する工程と、を包含することを特徴とするマルチディスプレイシステムの表示方法。
【発明の詳細な説明】
【技術分野】
【０００１】
本発明は、表示制御装置、マルチディスプレイシステム、およびマルチディスプレイシステムの表示方法に関する。
【背景技術】
【０００２】
特許文献１のマルチディスプレイ装置では、二つのディスプレイにまたがった画像を表示する際に、ディスプレイ間の非表示領域（ベゼル、オーバースキャン領域等）を含むマルチディスプレイ装置全体の表示領域に画像が適合するように、画像の拡大縮小および適切なオフセットの設定を行う。これにより、マルチディスプレイ装置全体としてシームレスな画像（ディスプレイ間においてずれの無い画像）を表示することができる。例えば、ディスプレイをまたがる斜めの直線がきちんと一直線になるように表示することができる。
【先行技術文献】
【特許文献】
【０００３】
【特許文献１】特開２００３−２８０６２３号公報（２００３年１０月２日公開）
【発明の概要】
【発明が解決しようとする課題】
【０００４】
しかしながら、上述のような従来技術には、画質が低下するという問題がある。すなわち、上述のマルチディスプレイ装置では、元の画像を、非表示領域を含むマルチディスプレイ装置全体の表示領域一杯に拡大して表示する。この場合、元の画像を非表示領域の分だけわずかに（例えば、１．０１倍等に）引き伸ばすことになるので、元画像の１画素が複数画素に中途半端にまたがることになり、変換処理によってぼやけ等が生じる。例えば、４Ｋ対応ディスプレイを２×２のマトリクス状に配置したマルチディスプレイ装置に、８Ｋの映像を表示させる場合、ベゼル等の非表示領域を含むマルチディスプレイ装置全体の表示領域は８Ｋを少し超える解像度になるため、８Ｋの映像がわずかに引き延ばされて表示され、画質が劣化してしまう。
【０００５】
本発明は、上記課題に鑑みてなされたものであり、その主たる目的は、マルチディスプレイシステムにおいて、画像を良好に表示するための技術を提供することにある。
【課題を解決するための手段】
【０００６】
上記課題を解決するために、本発明の一態様に係る表示制御装置は、マルチディスプレイシステムを構成する表示装置の表示を制御する表示制御装置であって、上記表示装置の表示領域と、隣接する上記表示領域間に存在する間隙領域とから構成される全体表示領域の特定の範囲に、上記マルチディスプレイシステムの表示対象となる全体画像が重なるように、上記表示装置の表示領域に、上記全体画像の部分画像をドットバイドット表示させる表示制御部を備え、上記表示制御部は、上記表示装置の表示領域における上記特定の範囲外の領域に、第１の背景画像を表示させる。また、本発明の一態様に係るマルチディスプレイシステムは、複数の表示装置を備えたマルチディスプレイシステムであって、表示装置は、上記表示装置の表示領域と、隣接する上記表示領域間に存在する間隙領域とから構成される全体表示領域の特定の範囲に、上記マルチディスプレイシステムの表示対象となる全体画像が重なるように、上記表示装置の表示領域に、上記全体画像の部分画像をドットバイドット表示すると共に、上記表示装置の表示領域における上記特定の範囲外の領域に、第１の背景画像を表示する。また、本発明の一態様に係るマルチディスプレイシステムの表示方法は、複数の表示装置を備えたマルチディスプレイシステムの表示方法であって、上記表示装置の表示領域と、隣接する上記表示領域間に存在する間隙領域とから構成される全体表示領域の特定の範囲に、上記マルチディスプレイシステムの表示対象となる全体画像が重なるように、上記表示装置の表示領域に、上記全体画像の部分画像をドットバイドット表示する工程と、上記表示装置の表示領域における上記特定の範囲外の領域に、第１の背景画像を表示する工程と、を包含する。
【発明の効果】
【０００７】
本発明の一態様によれば、マルチディスプレイシステムにおいて、画像を良好に表示することができるという効果を奏する。
【図面の簡単な説明】
【０００８】
【図１】本発明の実施形態１に係るマルチディスプレイシステムの構成を示すブロック図である。
【図２】本発明の実施形態１に係る表示画面の画面構成の例を示す図である。
【図３】本発明の実施形態１に係る画像出力装置の処理を示すフローチャートである。
【図４】本発明の実施形態２に係る切り出し画像の範囲を示す図である。
【図５】本発明の実施形態２に係る背景画像の表示例を示す図である。
【図６】本発明の実施形態２に係る背景画像の表示例を示す図である。
【図７】本発明の実施形態３に係る切り出し画像の範囲を示す図である。
【図８】本発明の実施形態３に係る切り出し画像のサイズを示す図である。
【発明を実施するための形態】
【０００９】
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。
【００１０】
〔実施形態１〕
〈システムの構成と概要〉
まず、本発明の実施形態１に係るマルチディスプレイシステム１００について、図１〜３を参照して説明する。本明細書において、マルチディスプレイシステムとは、複数の表示装置の表示領域間に亘って画像を表示するシステムを指す。マルチディスプレイシステムでは、例えば、複数の表示装置をマトリクス状に配置して大画面を構成する。
【００１１】
図１は、本実施形態に係るマルチディスプレイシステム１００の構成を示すブロック図である。図１に示すように、マルチディスプレイシステム１００は、複数の画像表示装置（表示装置）１、複数の画像出力装置（表示制御装置）２、および、マルチディスプレイ制御装置３を備えている。各画像出力装置２は、画像表示装置１に一対一で接続されている。各画像出力装置２はすべて、マルチディスプレイ制御装置３に接続されている。
【００１２】
複数の画像表示装置１は、マルチディスプレイシステム１００を構成し、例えば、２×２、４×４などのマトリクス状に配置されている。各画像表示装置１は、接続された画像出力装置２から入力された画像を表示する。
【００１３】
各画像出力装置２は、当該画像出力装置２に接続された画像表示装置１の表示を制御する。各画像出力装置２は、マルチディスプレイ制御装置３から画像データおよび出力指示を受信し、当該出力指示に応じて画像データを処理し、処理した画像を接続された画像表示装置１に出力する。マルチディスプレイ制御装置３は、各画像出力装置２に画像データおよび出力指示を送信する。図１に示すように、画像出力装置２は、画像データ取得部（画像取得部）２１、出力指示受付部２２、画像配置制御部（表示制御部）２３、画像デコード処理部２４、出力映像制御部（表示制御部）２５、および、映像出力部２６を備えている。画像データ取得部２１は、マルチディスプレイ制御装置３から画像データを取得する。出力指示受付部２２は、マルチディスプレイ制御装置３から画像の出力指示を受け付けて、画像出力装置２における画像処理のトリガを与える。画像配置制御部２３は、必要な情報を取得して、画像オフセット値（画像表示装置１の表示領域に対する、画像の相対表示位置）を計算する。画像デコード処理部２４は、取得した画像データに関して、動画ファイル形式特有のデータ形式から映像再生可能なデータ形式に変換する処理を行う。出力映像制御部２５は、画像配置制御部２３が計算した画像オフセット値および画像デコード処理部２４が変換した画像データを用いて、画像、テキストなどの表示要素を合成して、画像表示装置１に表示すべき出力映像を生成する。映像出力部２６は、生成された映像を、対応する画像表示装置１に出力する。
【００１４】
〈マルチディスプレイシステムの画面構成〉
マルチディスプレイシステムの画面構成について、図２を参照して説明する。図２は、本実施形態に係るマルチディスプレイシステム１００の画面構成の例を示す図である。なお、以下では、８Ｋ［７６８０（ｗ）×４３２０（ｈ）］の動画がＦｕｌｌＨＤ［１９２０（ｗ）ｘ１０８０（ｈ）］の画像表示装置１の１６画面に分割表示される場合について説明する。図２（ａ）は、マルチディスプレイシステム１００の画面の概要を示す。図２（ａ）に示すように、本実施形態では、画像表示装置１が４×４のマトリクス状に配置されている。図２（ｂ）は、１台の画像表示装置１の画面を示す。図２（ｂ）に示すように、画像表示装置１には、画像の表示が可能な表示領域１１と、隣接する表示領域１１間に存在する間隙領域であり、画像の表示ができない領域（非表示領域）であるベゼル１２とが設けられる。
【００１５】
左非表示領域幅Ｂｌは、ベゼル１２の左側部分の幅である。右非表示領域幅Ｂｒは、ベゼル１２の右側部分の幅である。上非表示領域高Ｂｔは、ベゼル１２の上側部分の高さである。下非表示領域高Ｂｂは、ベゼル１２の下側部分の高さである。ディスプレイ幅Ｆｗは、画像表示装置１の前面全体の幅である。表示領域幅Ｄｗは、表示領域１１の幅である。ディスプレイ高Ｆｈは、画像表示装置１の前面全体の高さである。表示領域高Ｄｈは、表示領域１１の高さである。上述の各サイズに関しては、以下の関係式が成り立つ。
【００１６】
Ｆｗ＝Ｂｌ＋Ｄｗ＋Ｂｒ
Ｆｈ＝Ｂｔ＋Ｄｈ＋Ｂｂ  ・・・式１
図２（ｃ）は、マルチディスプレイシステム１００全体の構成を示す。表示装置位置（Ｎｘ、Ｎｙ）は、各画像表示装置１の配置位置を示す。表示装置位置（Ｎｘ、Ｎｙ）のうち、Ｎｘは左側からの列番号を示し、Ｎｙは上側からの段番号を示す。表示画像幅Ｃｗは、複数の画像表示装置１に亘って表示される全体画像の幅である。表示画像高Ｃｈは、複数の画像表示装置１に亘って表示される全体画像の高さである。全体表示領域幅Ｖｗは、マルチディスプレイシステム１００の画面全体としての表示領域（全体表示領域）の幅であり、表示装置位置（１、Ｎｙ）の画像表示装置１の表示領域１１の左端と、表示装置位置（４、Ｎｙ）の画像表示装置１の表示領域１１の右端との間の距離（ドット換算値。以下、同様）である。全体表示領域高Ｖｈは、マルチディスプレイシステム１００の画面全体としての表示領域の高さであり、表示装置位置（Ｎｘ、１）の画像表示装置１の表示領域１１の上端と、表示装置位置（Ｎｘ、４）の画像表示装置１の表示領域１１の下端との間の距離である。
【００１７】
画像オフセット幅Ｓｗは、表示装置位置（１、１）の画像表示装置１の表示領域１１の左端と、表示された全体画像の左端との間の距離である。画像オフセット高Ｓｈは、表示装置位置（１、１）の画像表示装置１の表示領域１１の上端と、表示された表示画像の上端との間の距離である。このように、全体画像は、全体表示領域中の特定の範囲（全体表示領域中、左上が（Ｓｗ，Ｓｈ）となるサイズが（Ｃｗ，Ｃｈ）の範囲）に表示される。
【００１８】
本実施形態に係るマルチディスプレイシステム１００の処理について、図３を参照して説明する。図３は、本実施形態に係る画像出力装置２の処理を示すフローチャートである。画像出力装置２において、出力指示受付部２２がマルチディスプレイ制御装置３から画像出力指示を受けたときに、本処理が開始される。本処理は、画像出力装置２に対応する画像表示装置１に出力する画像に関して行われる。
【００１９】
なお、画像表示装置１のサイズ情報（表示領域の表示解像度、上下左右の非表示領域のサイズ）、画像表示装置１の配置位置情報、および、全体画像のサイズ情報は、マルチディスプレイシステム１００が設置されたときなどに予め計測され、算出され、または、決定される。そして、各画像出力装置２は、それらの各情報を取得し、記憶部に記憶し、必要に応じて読み出す。ただし、それらの各情報を都度他の装置から取得してもよい。
まず、画像配置制御部２３は、画像表示装置１のサイズ情報を取得する（Ｓ３０１）。画像表示装置１のサイズ情報には、表示領域１１の表示解像度、上下左右の非表示領域（間隙領域、ベゼル１２）のサイズがあるが、詳細には図２（ｂ）に関して上述した通りである。なお、非表示領域（ベゼル１２）のサイズは解像度換算（表示領域１１の何画素分に相当するか）によって示されることが好ましい。また、画像表示装置１のサイズ情報は、上述したように、記憶部から取得してもよいし、例えば、表示解像度（表示領域１１のサイズ）は、ＨＤＭＩ（登録商標）ケーブル接続を通じて画像表示装置１から取得してもよい。ベゼル１２のサイズも、画像表示装置１と通信して取得してもよい。
【００２０】
次に、画像配置制御部２３は、画像表示装置１の配置位置情報を取得する（Ｓ３０２）。画像表示装置１の配置位置情報には、表示装置位置、全体表示領域サイズがあるが、詳細には図２（ｃ）に関して上述した通りである。なお、画像表示装置１の配置位置情報は、マルチディスプレイ制御装置３から取得してもよい。そして、画像データ取得部２１は全体画像データを取得し、画像配置制御部２３は画像データ取得部２１から全体画像のサイズ情報を取得する（Ｓ３０３）。全体画像のサイズ情報には、表示画像サイズがあるが、詳細には図２（ｃ）に関して上述した通りである。さらに、画像配置制御部２３は、各画像表示装置１の表示領域１１と、隣接する表示領域１１間に存在する非表示領域（間隙領域）とから構成される全体表示領域の特定の範囲に、全体画像が重なるように、相対表示位置（画像オフセット値）を算出する（Ｓ３０４）。本明細書において、相対表示位置とは、表示領域１１に対象画像（例えば全体画像）を表示する場合の、表示領域１１に対する当該対象画像の相対位置を示す。相対表示位置は、負の値とすることもでき、その場合、表示領域１１には、対象画像の途中から表示されることになる。
【００２１】
詳細には、画像配置制御部２３は、以下のように、対応する画像表示装置１の表示装置位置（Ｎｘ、Ｎｙ）に応じて相対表示位置（ＯｆｆｓｅｔＮｘ、ＯｆｆｓｅｔＮｙ）を計算する。まず、本実施形態において、全体画像は全体表示領域の中央に位置するので、以下の関係式が成り立つ。
【００２２】
Ｓｗ＝（Ｖｗ−Ｃｗ）／２
Ｓｈ＝（Ｖｈ−Ｃｈ）／２  ・・・式２
画像オフセット幅Ｓｗ、および、画像オフセット高Ｓｈは、表示装置位置（１、１）の画像表示装置１の表示領域１１における画像の相対表示位置を与えるものである。相対表示位置は、各画像表示装置１の表示領域１１の左上隅（０、０）に対する全体画像の左上隅の配置座標（すなわち、水平方向、および、垂直方向の相対位置）である。また、表示装置位置（Ｎｘ、Ｎｙ）の表示領域１１における相対表示位置（ＯｆｆｓｅｔＮｘ、ＯｆｆｓｅｔＮｙ）は、以下の式によって求められる。
【００２３】
ＯｆｆｓｅｔＮｘ＝Ｓｗ−Ｆｗ（Ｎｘ−１）
ＯｆｆｓｅｔＮｙ＝Ｓｈ−Ｆｈ（Ｎｙ−１）  ・・・式３
例えば、表示装置位置（１、１）の表示領域１１に関しては、相対表示位置が（３０、３０）になる。表示装置位置（２、１）の表示領域１１に関しては、相対表示位置が（−１９１０、３０）になる。表示装置位置（４、４）の表示領域１１に関しては、相対表示位置が（−５７９０、−３２７０）になる。このように計算された相対表示位置に応じて各表示領域１１に全体画像の部分画像を表示することにより、全体表示領域の特定の範囲に、全体画像が重なっている状態となり、表示領域１１間においてずれの無い、シームレスな表示を行うことができる。
【００２４】
続いて、画像配置制御部２３は、対応する画像表示装置１の表示領域１１に表示すべき画像があるか否かを判定する（Ｓ３０５）。詳細には、画像配置制御部２３は、相対表示位置の水平成分ＯｆｆｓｅｔＮｘと表示画像幅Ｃｗの和（合計値）が０より大きく、または、相対表示位置の垂直成分ＯｆｆｓｅｔＮｙと表示画像高Ｃｈの和（合計値）が０より大きいか否かを判定する。両方の和が０以下である場合（Ｓ３０５のＮＯ）、画像配置制御部２３は画像出力のトリガを与えることなく、画像出力せず（Ｓ３０８）に処理を終了する。
【００２５】
これは、（ＯｆｆｓｅｔＮｘ＋Ｃｗ）≦０、かつ、（ＯｆｆｓｅｔＮｙ＋Ｃｈ）≦０の場合、表示領域１１が表示すべき画像が存在しないので、対象画像のデコード処理は不要になるからである。例えば、図２（ｃ）において、右側に１列の画像表示装置１が配置されていた場合、表示装置位置（５、１）の表示領域１１の相対表示位置は（−７７３０、−４３７０）となる。この場合、−７７３０＋７６８０＝−５０≦０、−４３７０＋４３２０＝−５０≦０となるので、画像のデコード処理は不要になる。
【００２６】
一方、（ＯｆｆｓｅｔＮｘ＋Ｃｗ）または（ＯｆｆｓｅｔＮｙ＋Ｃｈ）が０より大きい場合（Ｓ３０５のＹＥＳ）、画像配置制御部２３は、対応する画像表示装置１の表示領域１１に、全体画像が表示される特定の範囲の範囲外となる余白領域があるか否かを判定する（Ｓ３０６）。詳細には、画像配置制御部２３は、ＯｆｆｓｅｔＮｘ＞０（相対表示位置の水平成分ＯｆｆｓｅｔＮｘが０より大きい）、ＯｆｆｓｅｔＮｘ＋Ｃｗ＜Ｄｗ（相対表示位置の水平成分ＯｆｆｓｅｔＮｘと表示画像幅Ｃｗの和が表示領域幅Ｄｗより小さい）、ＯｆｆｓｅｔＮｙ＞０（相対表示位置の垂直成分ＯｆｆｓｅｔＮｙが０より大きい）、または、ＯｆｆｓｅｔＮｙ＋Ｃｈ＜Ｄｈ（相対表示位置の垂直成分ＯｆｆｓｅｔＮｙと表示画像高Ｃｈの和が表示領域高Ｄｈより小さい）が成り立つか否かを判定する。
【００２７】
上記のいずれかが成り立つ場合（Ｓ３０６のＹＥＳ）、画像配置制御部２３のトリガにより、出力映像制御部２５は、相対表示位置にドットバイドット表示の全体画像が配置され、全体画像が表示される特定の範囲の範囲外となる余白領域に第１の背景画像が配置された画像を生成し、映像出力部２６に出力する。第１の背景画像としては、例えば、目立たないように黒色やベゼル１２の色（別途、ベゼル１２の色が設定される）のベタ画像を表示し、または、輝度を０にしてもよい。また、第１の背景画像として、黒帯ではなく、額縁のようなデザイン画像を表示してもよい。さらに、第１の背景画像として、その他の画像やテキスト、他のＵＩ要素などを表示してもよい。
【００２８】
このように、画像表示装置１の表示領域１１には、全体画像の部分画像を表示するための画像領域１１０と、全体画像が表示される特定の範囲の範囲外となる余白領域１１３とが混在している。ここで、ドットバイドット表示により、非表示領域（間隙領域）を含めた全体表示領域に全体画像を重ねる場合、例えば、非表示領域の分だけ、全体画像が表示される特定の範囲の範囲外となる余白領域が生じることが多い。本実施形態では、このような画像領域１１０と、余白領域１１３との混在状態を可能にすることにより、シームレスな表示と、ドットバイドット表示とを両立させることができる。
【００２９】
上記のいずれも成り立たない場合（Ｓ３０６のＮＯ）、画像配置制御部２３のトリガにより、出力映像制御部２５は、相対表示位置にドットバイドット表示の全体画像が配置された画像を生成し、映像出力部２６に出力する（Ｓ３０９）。この場合、画像表示装置１の表示領域１１全体に、全体画像の部分画像が表示されることになる。
【００３０】
なお、以上では、各画像出力装置が個別に画像表示装置に接続されている形態について説明したが、本発明はこれに限定されない。例えば、各画像出力装置は、複数の画像表示装置に接続されていてもよいし、単一の画像出力装置が、全ての画像表示装置に接続されていてもよい。また、各画像出力装置が、各画像表示装置内に備えられていてもよい。すなわち、画像出力装置は、画像表示装置の表示領域と、隣接する表示領域間に存在する間隙領域とから構成される全体表示領域の特定の範囲に、マルチディスプレイシステムの表示対象となる全体画像が重なるように、画像表示装置の表示領域に、全体画像の部分画像をドットバイドット表示させる表示制御部を備え、表示制御部は、画像表示装置の表示領域における特定の範囲外の領域に、背景画像を表示させる構成を有するものであればよい。以下の実施形態においても同様である。
【００３１】
〔実施形態２〕
次に、本発明の実施形態２に係るマルチディスプレイシステムについて、図４〜６を参照して説明する。前記実施形態において説明した構成と同様の構成については、同じ部材番号を付し、説明を省略する。実施形態１では、マルチディスプレイ制御装置３から、各画像出力装置２に対して、全体画像の画像データが提供されていたが、本実施形態では、全体画像から切り出した切り出し画像の画像データが提供されている。本実施形態における切り出し画像は、全体画像を各画像表示装置１毎に分割した分割画像である。
【００３２】
図４は、本実施形態における切り出し画像を示す図である。図４に示すように、全体画像からの切り出しを等分割により行った場合、切り出された画像１１１と、各表示領域１１との間には、ずれが発生する。その結果、表示領域１１には、切り出された画像１１１が表示されない領域（当該切り出された画像１１１に隣接する切り出された画像１１１に含まれる部分）が存在する場合がある。当該領域を隣接画像領域１１２と称する。各画像出力装置２には、当該画像出力装置２に対応する切り出された画像１１１が提供されるため、隣接画像領域１１２の画像を出力することができない。
【００３３】
例えば、表示装置位置（２、１）の表示領域１１には、切り出された画像が下側に表示される。表示領域１１において、画像が表示されない領域としては、切り出された画像に隣接する画像に相当する隣接画像領域１１２が左下側にあり、中央から上側に全体画像の表示される範囲の外側に相当する余白領域１１３がある。なお、余白領域１１３は、実施形態１と同様であり、表示領域１１に応じて画像を切り出すか否かに関係なく発生する。
【００３４】
本実施形態に係るマルチディスプレイの処理において、実施形態１と異なる点について説明する。まず、Ｓ３０３において、画像データ取得部２１は、切り出された画像１１１の画像データを取得する。
【００３５】
また、Ｓ３０４において、画像配置制御部２３は、各画像表示装置１の表示領域１１と、隣接する表示領域１１間に存在する非表示領域（間隙領域）とから構成される全体表示領域の特定の範囲に、全体画像が重なるように、表示領域１１に対する、切り出された画像１１１の相対表示位置を算出する。
【００３６】
本実施形態における相対表示位置は、各画像表示装置１の表示領域１１の左上隅（０、０）に対する切り出された画像１１１の左上隅の配置座標（すなわち、水平方向、および、垂直方向の相対位置）である。表示装置位置（Ｎｘ、Ｎｙ）の表示領域１１における部分相対表示位置（ＬｏｃａｌＯｆｆｓｅｔＮｘ、ＬｏｃａｌＯｆｆｓｅｔＮｙ）は、以下の式によって求められる。
ＬｏｃａｌＯｆｆｓｅｔＮｘ＝Ｓｗ−（Ｂｌ＋Ｂｒ）×（Ｎｘ−１）
ＬｏｃａｌＯｆｆｓｅｔＮｙ＝Ｓｈ−（Ｂｔ＋Ｂｂ）×（Ｎｙ−１）・・・式４
実施形態１と比較すると、画像が表示領域１１に応じて切り出されている分、表示領域１１のサイズを考慮する必要がなくなる。例えば、表示装置位置（１、１）の表示領域１１に関しては、相対表示位置が（３０、３０）になる。表示装置位置（２、１）の表示領域１１に関しては、相対表示位置が（１０、３０）になる。表示装置位置（３、３）の表示領域１１に関しては、相対表示位置が（−１０、−１０）になる。表示装置位置（４、４）の表示領域１１に関しては、相対表示位置が（−３０、−３０）になる。
【００３７】
そして、Ｓ３０７およびＳ３０９において、出力映像制御部２５は、画像配置制御部２３が決定した表示位置に、切り出された画像をドットバイドット表示させると共に、全体表示領域において対象画像が重なっていない領域に対応する表示画面中の余白領域、および、切り出された画像に隣接する画像が存在する隣接画像領域に、背景画像を表示させる。このとき、出力映像制御部２５は、表示領域１１のうち、切り出された画像１１１が表示されない領域に関しては、余白領域１１３か、隣接画像領域１１２かに応じて異なる背景画像を配置する処理を行う。例えば、出力映像制御部２５は、表示装置位置（Ｎｘ、Ｎｙ）の画像表示装置１の表示領域１１に関して、式３により相対表示位置（ＯｆｆｓｅｔＮｘ、ＯｆｆｓｅｔＮｙ）を計算する。そして、表示領域１１内の画素を、表示領域１１の左上隅に対する配置座標（Ｐｘ、Ｐｙ）により特定する。Ｐｘ＜ＯｆｆｓｅｔＮｘの場合、当該画素は余白領域１１３（全体画像の左側）に位置する。Ｐｘ≧ＯｆｆｓｅｔＮｘ＋Ｃｗの場合、当該画素は余白領域１１３（全体画像の右側）に位置する。Ｐｙ＜ＯｆｆｓｅｔＮｘの場合、当該画素は余白領域１１３（全体画像の上側）に位置する。Ｐｙ≧ＯｆｆｓｅｔＮｙ＋Ｃｈの場合、当該画素は余白領域１１３（全体画像の下側）に位置する。ＯｆｆｓｅｔＮｘ＋Ｃｗ＞Ｐｘ≧ＯｆｆｓｅｔＮｘかつＯｆｆｓｅｔＮｙ＋Ｃｈ＞Ｐｙ≧ＯｆｆｓｅｔＮｙの場合、当該画素は隣接画像領域１１２（全体画像が重ねられる特定の範囲内）に位置する。そして、出力映像制御部２５は、余白領域１１３には第１の背景画像を配置し、隣接画像領域１１２には第２の背景画像を配置する。これにより、各画像出力装置２は、全体画像ではなく、全体画像から切り出された画像１１１を取得するだけで、マルチディスプレイシステムにおいて、全体画像を好適に表示することができる。このとき、各画像出力装置２は、全体画像から切り出された画像１１１をデコードすればよいので、各画像出力装置２のデコード負荷を減らすことができる。これにより、各画像出力装置２のデコード能力を超える映像を表示することができる。
【００３８】
図５は、本実施形態に係る背景画像の表示例を示す図である。図５は、余白領域１１３および隣接画像領域１１２において異なる背景画像を表示した例を示す。表示領域１１内の隣接画像領域１１２は、極力目立たないようにすべき領域なので、第２の背景画像は、目立たないように黒色表示を行ったり、輝度を０にしたりしてもよい。また、第２の背景画像は、ベゼル１２の色のベタ画像などにしてもよい。この場合、別途ベゼル１２の色が画像出力装置２に設定される。一方、余白領域１１３については、実施形態１において説明したとおり、第１の背景画像として、額縁のようなデザイン画像を表示してもよいし、その他の画像やテキスト、他のＵＩ要素などを表示してもよい。また、第１の背景画像として、黒色表示を行ったり、輝度を０にしたりしてもよいし、ベゼル１２の色のベタ画像などにしてもよい。図６は、本実施形態に係る背景画像の表示例を示す図である。図６は、余白領域１１３および隣接画像領域１１２において同一の背景画像を表示した例を示す。図６に示すように、余白領域１１３および隣接画像領域１１２ともに黒色の背景画像を表示してもよい。
【００３９】
〔実施形態３〕
次に、本発明の実施形態３に係るマルチディスプレイシステムについて、図７〜８を参照して説明する。前記実施形態において説明した構成と同様の構成については、同じ部材番号を付し、説明を省略する。実施形態２では、マルチディスプレイ制御装置３から、各画像出力装置２に対して、全体画像を各画像表示装置１毎に分割した分割画像である切り出し画像の画像データが提供されていたが、本実施形態における切り出し画像は、全体画像を各画像表示装置１毎に分割した分割画像の外周に付加領域が加えられた切り出し画像である。
【００４０】
詳細には、全体画像より小さく、かつ、画像表示装置１の解像度より大きいサイズに画像を切り出す。これにより、実施形態２において発生する、表示領域１１における隣接画像領域１１２に画像が表示されない状態（隙間）を減らすことができる。また、余分に切り出される画像が大きいほど、表示領域１１における隙間をさらに減らすことができる。
【００４１】
図７は、本実施形態に係る切り出し画像の範囲を示す図である。図７に示すように、全体画像の４隅に位置する切り出し画像は、より大きく切り出す領域がないので、そのまま（等分割のサイズで）切り出す。表示画像の４隅に位置する切り出し画像の表示装置位置は、（１、１）、（４、１）、（１、４）、および、（４、４）である。図７には、表示装置位置（１、１）の単純な切り出し画像が示されている。
【００４２】
一方、図７に示すように、表示画像の４隅以外に位置する切り出し画像は、上下左右の少なくとも１つの側に、より大きく切り出す領域が存在するので、表示領域１１のサイズよりも大きく切り出される。図７には、表示装置位置（３、２）の単純な切り出し画像、および、大きくした切り出し画像１１４が示されている。画像を単純に切り出した場合には、表示領域１１に画像が表示されない隣接画像領域１１２が存在するが、画像を大きく切り出すことにより、隣接画像領域１１２に画像を表示することができ、隙間を減らすことができる。
【００４３】
図８は、本実施形態に係る大きくした切り出し画像１１４のサイズを示す図である。図８に示すように、表示領域１１のサイズに対して、上下左右にマージン（付加領域）を持たせたサイズの画像を切り出す。すなわち、切り出し画像幅Ｅｗは、表示領域幅Ｄｗに切り出し左マージンＭｌおよび切り出し右マージンＭｒを加算した値になる。また、切り出し画像高Ｅｈは、表示領域高Ｄｈに切り出し上マージンＭｔおよび切り出し下マージンＭｂを加算した値になる。すなわち、以下の式が成り立つ。
【００４４】
Ｅｗ＝Ｄｗ＋Ｍｌ＋Ｍｒ
Ｅｈ＝Ｄｈ＋Ｍｔ＋Ｍｂ・・・式５
本実施形態に係るマルチディスプレイの処理において、実施形態２と異なる点について説明する。Ｓ３０４において、画像配置制御部２３は、各画像表示装置１の表示領域１１と、隣接する表示領域１１間に存在する非表示領域（間隙領域）とから構成される全体表示領域の特定の範囲に、全体画像が重なるように、表示領域１１に対する、切り出し画像の相対表示位置を算出する。本実施形態における相対表示位置は、各画像表示装置１の表示領域１１の左上隅（０、０）に対する切り出し画像の左上隅の配置座標（すなわち、水平方向、および、垂直方向の相対位置）である。表示装置位置（Ｎｘ、Ｎｙ）の表示領域１１における相対表示位置（ＬｏｃａｌＯｆｆｓｅｔＮｘ、ＬｏｃａｌＯｆｆｓｅｔＮｙ）は、次のように算出される。Ｎｘ＝１の場合には、以下の式によって求められる。
ＬｏｃａｌＯｆｆｓｅｔＮｘ＝Ｓｗ−（Ｂｌ＋Ｂｒ）×（Ｎｘ−１）・・・式６
この場合には、画像の左側にマージンがないので、実施形態２と同じ式になる。Ｎｙ＝１の場合には、以下の式によって求められる。
ＬｏｃａｌＯｆｆｓｅｔＮｙ＝Ｓｈ−（Ｂｔ＋Ｂｂ）×（Ｎｙ−１）・・・式７
この場合には、画像の上側にマージンがないので、実施形態２と同じ式になる。Ｎｘ≧２の場合には、以下の式によって求められる。
ＬｏｃａｌＯｆｆｓｅｔＮｘ＝Ｓｗ−（Ｂｌ＋Ｂｒ）×（Ｎｘ−１）−Ｍｌ・・・式８
この場合には、画像の左側にマージンがあるので、その分だけ相対表示位置が左側にずれる。Ｎｙ≧２の場合には、以下の式によって求められる。
ＬｏｃａｌＯｆｆｓｅｔＮｙ＝Ｓｈ−（Ｂｔ＋Ｂｂ）×（Ｎｙ−１）−Ｍｔ・・・式９
この場合には、画像の上側にマージンがあるので、その分だけ相対表示位置が上側にずれる。例えば、表示装置位置（１、１）の表示領域１１に関しては、相対表示位置が（３０、３０）になる。表示装置位置（２、１）の表示領域１１に関しては、相対表示位置が（−３０、３０）になる。表示装置位置（３、３）の表示領域１１に関しては、相対表示位置が（−５０、−５０）になる。表示装置位置（４、４）の表示領域１１に関しては、相対表示位置が（−７０、−７０）になる。以上のように、マージンを付加して切り出し画像を作成することにより、表示領域１１ごとに切り出された画像を表示する際に生じる隙間を減らすことができる。
【００４５】
〔変形例〕
なお、上述した画像配置制御部２３における相対表示位置の算出、および、出力映像制御部２５における画像の生成は、必ずしも画像出力装置２において実行しなくともよい。例えば、画像表示装置１が実行してもよいし、マルチディスプレイ制御装置３が実行してもよい。
【００４６】
〔ソフトウェアによる実現例〕
画像出力装置２の各機能ブロックは、集積回路（ＩＣチップ）等に形成された論理回路（ハードウェア）によって実現してもよいし、ＣＰＵ（Central Processing Unit）を用いてソフトウェアによって実現してもよい。
【００４７】
後者の場合、画像出力装置２は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００４８】
〔まとめ〕
本発明の態様１に係る表示制御装置は、マルチディスプレイシステムを構成する表示装置の表示を制御する表示制御装置であって、上記表示装置の表示領域と、隣接する上記表示領域間に存在する間隙領域とから構成される全体表示領域の特定の範囲に、上記マルチディスプレイシステムの表示対象となる全体画像が重なるように、上記表示装置の表示領域に、上記全体画像の部分画像をドットバイドット表示させる表示制御部を備え、上記表示制御部は、上記表示装置の表示領域における上記特定の範囲外の領域に、第１の背景画像を表示させる。上記の構成によれば、マルチディスプレイシステムにおいて、シームレスな表示と、ドットバイドット表示とを両立させることができる。
【００４９】
本発明の態様２に係る表示制御装置は、上記態様１において、上記全体画像、または、上記全体画像から切り出された切り出し画像を取得する画像取得部を更に備えていてもよい。
【００５０】
本発明の態様３に係る表示制御装置は、上記態様２において、上記表示制御部は、上記表示装置の表示領域の解像度を示す情報、上記間隙領域のサイズを示す情報、上記特定の範囲を示す情報、および、上記表示装置の配置位置を示す情報を参照して、上記表示装置の表示領域に対する、上記画像取得部が取得した画像の相対表示位置を算出し、当該相対表示位置に応じて、上記表示装置の表示領域に、上記画像取得部が取得した画像を表示させるものであってもよい。上記の構成によれば、シームレスな表示を好適に実現することができる。
【００５１】
本発明の態様４に係る表示制御装置は、上記態様２又は３において、上記画像取得部は、上記切り出し画像を取得し、上記表示制御部は、上記表示装置の表示領域において、上記特定の範囲内であって、かつ、上記画像取得部が取得した画像が表示されない領域に、第２の背景画像を表示させるものであってもよい。上記の構成によれば、表示装置におけるデコード負荷を抑制することができる。
【００５２】
本発明の態様５に係る表示制御装置は、上記態様４において、上記表示制御部は、上記第１の背景画像と、上記第２の背景画像とを異ならせるものであってもよい。上記の構成によれば、位置に応じて好適に背景画像を選択することができる。
【００５３】
本発明の態様６に係る表示制御装置は、上記態様２〜５において、上記画像取得部は、上記全体画像を上記表示装置毎に分割した分割画像の外周に付加領域が加えられた上記切り出し画像を取得するものであってもよい。上記の構成によれば、表示装置におけるデコード負荷を抑制しつつ、表示画像内の隙間を抑制することができる。
【００５４】
本発明の態様７に係る表示制御装置は、上記態様１〜６において、マルチディスプレイシステムを構成する表示装置に個別に接続され、接続された表示装置の表示を制御するものであってもよい。
【００５５】
本発明の態様８に係るマルチディスプレイシステムは、複数の表示装置を備えたマルチディスプレイシステムであって、上記表示装置は、上記表示装置の表示領域と、隣接する上記表示領域間に存在する間隙領域とから構成される全体表示領域の特定の範囲に、上記マルチディスプレイシステムの表示対象となる全体画像が重なるように、上記表示装置の表示領域に、上記全体画像の部分画像をドットバイドット表示すると共に、上記表示装置の表示領域における上記特定の範囲外の領域に、第１の背景画像を表示する。
【００５６】
本発明の態様９に係るマルチディスプレイシステムの表示方法は、複数の表示装置を備えたマルチディスプレイシステムの表示方法であって、上記表示装置の表示領域と、隣接する上記表示領域間に存在する間隙領域とから構成される全体表示領域の特定の範囲に、上記マルチディスプレイシステムの表示対象となる全体画像が重なるように、上記表示装置の表示領域に、上記全体画像の部分画像をドットバイドット表示する工程と、上記表示装置の表示領域における上記特定の範囲外の領域に、第１の背景画像を表示する工程と、を包含する。上記の構成によれば、態様１に係る表示制御装置と同等の効果を奏する。
【００５７】
本発明の各態様に係る表示制御装置は、コンピュータによって実現してもよく、この場合には、コンピュータを上記表示制御装置が備える各手段として動作させることにより上記表示制御装置をコンピュータにて実現させる表示制御装置のプログラム、及びそれを記録したコンピュータ読み取り可能な記録媒体も、本発明の範疇に入る。
【００５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５９】
１：画像表示装置、２：画像出力装置（表示制御装置）、３：マルチディスプレイ制御装置３、１１：表示領域、１２：ベゼル（間隙領域）、２１：画像データ取得部（画像取得部）、２２：出力指示受付部、２３：画像配置制御部（表示制御部）、２４：画像デコード処理部、２５：出力映像制御部（表示制御部）、２６：映像出力部、１１０：画像領域、１１１：切り出された画像（切り出し画像）、１１２：隣接画像領域、１１３：余白領域、１１４：大きくした切り出し画像（切り出し画像）
【図１】
0006661339.tif 000002
【図２】
0006661339.tif 000003
【図３】
0006661339.tif 000004
【図４】
0006661339.tif 000005
【図５】
0006661339.tif 000006
【図６】
0006661339.tif 000007
【図７】
0006661339.tif 000008
【図８】
0006661339.tif 000009